(57)【特許請求の範囲】
【請求項１】
中空形状をなす翼構造部と、
前記翼構造部の端部に設けられる端壁構造部と、
前記翼構造部に対応する本体部、前記端壁構造部に対応する側部、前記本体部と前記側部との間に設けられる湾曲部を有して前記翼構造部及び前記端壁構造部の内側に連続するキャビティを形成するように設けられると共に前記本体部と前記側部と前記湾曲部の全域にわたって多数の貫通孔が形成される仕切板と、
を備えることを特徴とするタービン静翼。
【請求項２】
前記仕切板は、前記翼構造部及び前記端壁構造部の内壁面に一定間隔をもって沿うように配置されることを特徴とする請求項１に記載のタービン静翼。
【請求項３】
前記仕切板は、筒形状をなし、前記端壁構造部側の端部が拡径して前記端壁構造部に固定されることを特徴とする請求項１または２に記載のタービン静翼。
【請求項４】
前記翼構造部と前記仕切板との間または前記端壁構造部と前記仕切板との間に両者の間隔が狭くなるのを抑制する突起部が設けられることを特徴とする請求項１から３のいずれか一つに記載のタービン静翼。
【請求項５】
前記端壁構造部は、前記翼構造部の一端部に接続される外側端壁構造部と、前記翼構造部の他端部に接続される内側端壁構造部とを有し、前記仕切板は、前記外側端壁構造部側から挿入される外側仕切板と、前記内側端壁構造部側から挿入される内側仕切板とを有することを特徴とする請求項１から４のいずれか一つに記載のタービン静翼。
【請求項６】
前記外側仕切板と前記内側仕切板は、基端部が前記外側端壁構造部と前記内側端壁構造部に固定され、先端部同士が接合されることを特徴とする請求項５に記載のタービン静翼。
【請求項７】
前記外側仕切板と前記内側仕切板は、基端部が前記外側端壁構造部と前記内側端壁構造部に固定され、先端部が閉塞されて互いに所定間隔をもって前記翼構造部の内部に配置されることを特徴とする請求項５に記載のタービン静翼。
【請求項８】
前記翼構造部及び前記端壁構造部の外側に燃焼ガス通路が設けられ、前記外側仕切板と前記内側仕切板は、先端部が前記翼本体における長手方向に燃焼ガス温度が最も高い部位を避けて配置されることを特徴とする請求項６または７に記載のタービン静翼。
【発明の詳細な説明】
【技術分野】
【０００１】
本発明は、例えば、圧縮した高温・高圧の空気に対して燃料を供給して燃焼し、発生した燃焼ガスをタービンに供給して回転動力を得るガスタービンにおいて、タービンに設けられるタービン静翼に関するものである。
【背景技術】
【０００２】
ガスタービンは、圧縮機と燃焼器とタービンにより構成されており、空気取入口から取り込まれた空気が圧縮機によって圧縮されることで高温・高圧の圧縮空気となり、燃焼器にて、この圧縮空気に対して燃料を供給して燃焼させ、高温・高圧の燃焼ガスがタービンを駆動し、このタービンに連結された発電機を駆動する。この場合、タービンは、車室内に複数の静翼及び動翼が交互に配設されて構成されており、燃焼ガスにより動翼を駆動することで発電機の連結される出力軸を回転駆動している。
【０００３】
また、タービン静翼は、翼本体における長手方向の端部にシュラウドが固定されて構成され、冷却空気を各シュラウドから翼本体内に導入することで、この翼本体の内壁面を冷却し、その後、この冷却空気を翼本体に形成された冷却孔から外部に排出し、翼本体の外壁面に沿って流すことで、この翼本体の外壁面を冷却している。
【０００４】
このようなタービン静翼としては、例えば、下記特許文献１、２に記載されたものがある。特許文献１に記載された翼形部の後部空洞用の蒸気出口流設計は、外壁に流入する蒸気が、インピンジメント板を通して外壁面をインピンジメント冷却した後に静翼の空洞に流入して冷却し、内壁に流入してからインピンジメント板を通して内壁面をインピンジメント冷却し、戻り空洞を通して戻すものである。また、特許文献２に記載されたタービン静翼は、冷却空気を各シュラウド側のインピンジメント板からシュラウドのキャビティに流入して冷却し、更に、翼本体のインピンジメント板から翼本体のキャビティに流入して冷却し、フィルム冷却孔から外部に排出するものである。
【先行技術文献】
【特許文献】
【０００５】
【特許文献１】特開２００２−００４８０３号公報
【特許文献２】特開２００８−２８６１５７号公報
【発明の概要】
【発明が解決しようとする課題】
【０００６】
タービン静翼は、上述したように、翼本体とその端部に固定された各シュラウドとにより構成されており、燃焼ガスによりタービン静翼が高温となることから、内部に冷却空気を導入して冷却する必要がある。各引用文献では、翼本体の内壁面側をインピンジメント板により被覆することで、キャビティを区画すると共に、各シュラウドの内壁面側をインピンジメント板により被覆することで、別のキャビティを区画し、各キャビティに順に冷却空気を導入することで、シュラウドや翼本体を冷却している。
【０００７】
ところが、翼本体の内壁面側と各シュラウドの内壁面側をそれぞれ別のインピンジメント板により被覆してキャビティを区画すると、このインピンジメント板を固定するために、翼本体や各シュラウドの内壁面側にフランジ部を形成する必要がある。すると、このフランジ部が形成された翼本体またはシュラウドの部分を十分に冷却することができず、高い熱応力が作用して変形や損傷を招くおそれがある。
【０００８】
図１０は、従来のタービン静翼を表す縦断面図である。即ち、従来のタービン静翼は、図１０に示すように、翼本体００１とシュラウド００２を接続し、その内側にインピンジメント板００３を配置することでキャビティ００４を区画して構成している。そして、翼本体００１とシュラウド００２の接続部の近傍にフランジ部００５を形成し、インピンジメント板００３をこのフランジ部００５に固定している。このようにフランジ部００５を形成する必要があることから、翼本体００１とシュラウド００２とが連続する湾曲した接続部００６は、燃焼ガス側の壁面がインピンジメント板００３の貫通孔００７からの冷却空気が衝突して冷却されるキャビティ００４側の壁面から離れることとなり、冷却が不十分となる。このため、翼本体００１とシュラウド００２とが連続する湾曲した接続部００６の燃焼ガス側の壁面に局所的な高温部が発生すると共に、高い熱応力が発生し、酸化減肉、熱応力による損傷が発生しやすい。
【０００９】
本発明は上述した課題を解決するものであり、翼構造部や端壁構造部を均一に冷却することで変形や損傷の発生を抑制可能とするタービン静翼を提供することを目的とする。
【課題を解決するための手段】
【００１０】
上記の目的を達成するための本発明のタービン静翼は、中空形状をなす翼構造部と、前記翼構造部の端部に設けられる端壁構造部と、前記翼構造部及び前記端壁構造部の内側に連続するキャビティを形成するように設けられると共に多数の貫通孔が形成される仕切板と、を備えることを特徴とするものである。
【００１１】
従って、多数の貫通孔を有する仕切板により翼構造部と端壁構造部の内側に両者を連続するキャビティが形成されることで、内部に導入された冷却媒体は、仕切板に形成された各貫通孔からキャビティへ直接一様に導入されるため、この冷却媒体により翼構造部及び端壁構造部を均一に冷却することができ、この翼構造部及び端壁構造部の変形や損傷の発生を抑制することができる。
【００１２】
本発明のタービン静翼では、前記仕切板は、筒形状をなし、前記端壁構造部側の端部が拡径して前記端壁構造部に固定されることを特徴としている。
【００１３】
従って、仕切板を適正形状とすることで、翼構造部の内側から端壁構造部の内側まで連続するキャビティを容易に区画することができる。
【００１４】
本発明のタービン静翼では、前記翼構造部と前記仕切板との間または前記端壁構造部と前記仕切板との間に両者の間隔が狭くなるのを抑制する突起部が設けられることを特徴としている。
【００１５】
従って、翼構造部、端壁構造部、仕切板が熱変形しても、突起部により翼構造部及び端壁構造部と仕切板との間隔、つまり、キャビティの幅が狭くなることが抑制され、常時、冷却媒体により翼構造部及び端壁構造部を均一に冷却することができる。
【００１６】
本発明のタービン静翼では、前記端壁構造部は、前記翼構造部の一端部に接続される外側端壁構造部と、前記翼構造部の他端部に接続される内側端壁構造部とを有し、前記仕切板は、前記外側端壁構造部側から挿入される外側仕切板と、前記内側端壁構造部側から挿入される内側仕切板とを有することを特徴としている。
【００１７】
従って、仕切板を外側仕切板と内側仕切板とに分割することで、内部に容易に挿入して配置することができ、組付性を向上することができる。
【００１８】
本発明のタービン静翼では、前記外側仕切板と前記内側仕切板は、基端部が前記外側端壁構造部と前記内側端壁構造部に固定され、先端部同士が接合されることを特徴としている。
【００１９】
従って、内部に挿入された外側仕切板と内側仕切板の先端部同士を接合することで、高い気密性を確保することができ、安定した冷却性能を維持することができると共に、接合部を接合作業が容易な位置に配置することができる。
【００２０】
本発明のタービン静翼では、前記外側仕切板と前記内側仕切板は、基端部が前記外側端壁構造部と前記内側端壁構造部に固定され、先端部が閉塞されて互いに所定間隔をもって前記翼構造部の内部に配置されることを特徴としている。
【００２１】
従って、内部に挿入された外側仕切板と内側仕切板の先端部同士を所定間隔をもって配置することで、接合箇所を減少して組付コストを低減することができると共に、組付性を向上することができる。
【００２２】
本発明のタービン静翼では、前記翼構造部及び前記端壁構造部の外側に燃焼ガス通路が設けられ、前記外側仕切板と前記内側仕切板は、先端部が前記翼本体における長手方向に燃焼ガス温度が最も高い部位を避けて配置されることを特徴としている。
【００２３】
従って、外側仕切板及び内側仕切板の先端部は、冷却のための貫通孔を形成しにくいことから、この位置を燃焼ガス温度が最も高い部位を避けて配置することで、局所的な高温部位の発生を抑制することができる。
【発明の効果】
【００２４】
本発明のタービン静翼によれば、翼構造部及び端壁構造部の内側に連続するキャビティを形成するように多数の貫通孔が形成される仕切板を固定するので、内部に導入された冷却媒体は、仕切板の各貫通孔からキャビティへ直接一様に導入されるため、この冷却媒体により翼構造部及び端壁構造部を均一に冷却することができ、この翼構造部及び端壁構造部の変形や損傷の発生を抑制することができる。
【図面の簡単な説明】
【００２５】
【図１】図１は、本発明の実施例１に係るタービン静翼を表す縦断面図である。
【図２】図２は、実施例１のタービン静翼を表す横断面図である。
【図３】図３は、実施例１のタービン静翼における翼本体と内側シュラウドとの連結部を表す断面図である。
【図４】図４は、実施例１のガスタービンを表す概略図である。
【図５】図５は、実施例１のタービンを表す概略図である。
【図６】図６は、本発明の実施例２に係るタービン静翼を表す縦断面図である。
【図７】図７は、実施例２のタービン静翼における翼本体と外側シュラウドとの連結部を表す断面図である。
【図８】図８は、本発明の実施例３に係るタービン静翼を表す縦断面図である。
【図９】図９は、本発明の実施例４に係るタービン静翼を表す縦断面図である。
【図１０】図１０は、従来のタービン静翼を表す縦断面図である。
【発明を実施するための形態】
【００２６】
以下に添付図面を参照して、本発明に係るタービン静翼の好適な実施例を詳細に説明する。なお、この実施例により本発明が限定されるものではなく、また、実施例が複数ある場合には、各実施例を組み合わせて構成するものも含むものである。
【実施例１】
【００２７】
図１は、本発明の実施例１に係るタービン静翼を表す縦断面図、図２は、実施例１のタービン静翼を表す横断面図、図３は、実施例１のタービン静翼における翼本体と内側シュラウドとの連結部を表す断面図、図４は、実施例１のガスタービンを表す概略図、図５は、実施例１のタービンを表す概略図である。
【００２８】
実施例１のガスタービンは、図４に示すように、圧縮機１１と燃焼器１２とタービン１３により構成されている。このガスタービンには、図示しない発電機が連結されており、発電可能となっている。
【００２９】
圧縮機１１は、空気を取り込む空気取入口２１を有し、圧縮機車室２２内に複数の静翼体２３と動翼体２４が前後方向（後述するロータ３２の軸方向）に交互に配設されてなり、その外側に抽気室２５が設けられている。燃焼器１２は、圧縮機１１で圧縮された圧縮空気に対して燃料を供給し、点火することで燃焼可能となっている。タービン１３は、タービン車室（ケーシング）２６内に複数の静翼体２７と動翼体２８が前後方向（後述するロータ３２の軸方向）に交互に配設されている。このタービン車室２６の下流側には、排気車室２９を介して排気室３０が配設されており、排気室３０は、タービン１３に連続する排気ディフューザ３１を有している。
【００３０】
また、圧縮機１１、燃焼器１２、タービン１３、排気室３０の中心部を貫通するようにロータ（タービン軸）３２が位置している。ロータ３２は、圧縮機１１側の端部が軸受部３３により回転自在に支持される一方、排気室３０側の端部が軸受部３４により回転自在に支持されている。そして、このロータ３２は、圧縮機１１にて、各動翼体２４が装着されたディスクが複数重ねられて固定され、タービン１３にて、各動翼体２８が装着されたディスクが複数重ねられて固定されており、圧縮機１１側の端部に図示しない発電機の駆動軸が連結されている。
【００３１】
そして、このガスタービンは、圧縮機１１の圧縮機車室２２が脚部３５に支持され、タービン１３のタービン車室２６が脚部３６により支持され、排気室３０が脚部３７により支持されている。
【００３２】
従って、圧縮機１１の空気取入口２１から取り込まれた空気が、複数の静翼体２３と動翼体２４を通過して圧縮されることで高温・高圧の圧縮空気となる。燃焼器１２にて、この圧縮空気に対して所定の燃料が供給され、燃焼する。そして、この燃焼器１２で生成された作動流体である高温・高圧の燃焼ガスが、タービン１３を構成する複数の静翼体２７と動翼体２８を通過することでロータ３２を駆動回転し、このロータ３２に連結された発電機を駆動する。一方、排気ガス（燃焼ガス）のエネルギは、排気室３０の排気ディフューザ３１により圧力に変換され減速されてから大気に放出される。
【００３３】
上述したタービン１３において、図５に示すように、円筒形状をなすタービン車室２６は、その内側にリング形状をなす燃焼ガス通路４０が形成され、この燃焼ガス通路４０に複数の静翼体２７と動翼体２８が燃焼ガスの流動方向に沿って交互に配設されている。即ち、各段の静翼体２７は、複数の静翼４１が周方向に均等間隔で配置され、タービン車室２６に固定されている。また、動翼体２８は、動翼４２が周方向に均等間隔で配置され、基端部がロータ３２に固定されるロータディスク４３に固定されている。
【００３４】
この静翼４１は、翼本体（翼構造部）４４の長手方向（ロータ３２の径方向）における一端部（径方向の外側）に外側シュラウド（端壁構造部）４５が固定され、他端部（径方向の内側）に内側シュラウド（端壁構造部）４６が固定されて構成されている。そして、この外側シュラウド４５がタービン車室２６に固定されている。一方、動翼４２は、翼本体４７の長手方向（ロータ３２の径方向）における基端部（径方向の内側）にプラットフォーム４８が固定されて構成されている。そして、このプラットフォーム４８がロータディスク４３に固定され、先端部（径方向の外側）がタービン車室２６の内壁面の近傍まで延出されている。
【００３５】
このように構成された静翼４１にて、図１乃至図３に示すように、翼本体４４は、中空形状をなし、燃焼ガスの流動方向の上流側（図２にて、左側）が湾曲断面形状をなし、燃焼ガスの流動方向の下流側（図２にて、右側）が先細断面形状をなしている。そして、翼本体４４は、内部が２つの隔壁５１により３つの空間部に区画されている。また、翼本体４４は、所定の位置にそれぞれ内部と外部を貫通する冷却孔５２が複数形成されている。
【００３６】
外側シュラウド４５は、ほぼ四角い平板形状をなし、中央部に翼形状をなす開口が形成されており、翼本体４４の一端部がこの開口と一致するように固定されている。内側シュラウド４６は、外側シュラウド４５と同様に、ほぼ四角い平板形状をなし、中央部に翼形状をなす開口が形成されており、翼本体４４の他端部がこの開口と一致するように固定されている。この場合、翼本体４４と外側シュラウド４５とは、ラッパ形状の湾曲部５３を介して接続し、翼本体４４と内側シュラウド４６とは、ラッパ形状の湾曲部５４を介して接続されている。また、各シュラウド４５、４６は、所定の位置にそれぞれ内部と外部を貫通する冷却孔５２が複数形成されている。
【００３７】
翼本体４４と外側シュラウド４５と内側シュラウド４６とは、その内側に仕切板５５が固定されている。この仕切板５５は、筒形状をなし、各シュラウド４５，４６側の端部が拡径してこの各シュラウド４５，４６に固定されている。即ち、仕切板５５は、翼本体４４に対応する本体部５６と、外側シュラウド４５に対応する外側部５７と、内側シュラウド４６に対応する内側部５８とを有し、本体部５６と外側部５７と内側部５８の間には、各湾曲部５３，５４に対応する湾曲部５９，６０が設けられている。
【００３８】
そして、翼本体４４と外側シュラウド４５と内側シュラウド４６とは、内側にこの仕切板５５が固定されることで、キャビティ６１が区画形成されている。このキャビティ６１は、翼本体４４と仕切板５５の本体部５６とで区画される第１キャビティ６２と、外側シュラウド４５と仕切板５５の外側部５７とで区画される第２キャビティ６３と、内側シュラウド４６と仕切板５５の内側部５８とで区画される第３キャビティ６４とが連続して構成されている。この場合、仕切板５５は、ほぼ全域にわたって、翼本体４４及び各シュラウド４５，４６の内壁面との間隔がほぼ一定間隔となるように配置されている。
【００３９】
つまり、仕切板５５は、翼本体４４及び各シュラウド４５，４６の内壁面に一定間隔をもって沿うように配置されている。一方、各シュラウド４５，４６は、外周部に段付部４５ａ，４６ａが形成されており、仕切板５５は、各端部がこの段付部４５ａ，４６ａに密着して固定（溶接）されている。また、仕切板５５は、その全域にわたってほぼ均等間隔で多数の貫通孔６５が形成されている。
【００４０】
なお、翼本体４４は、上述したように、内部が２つの隔壁５１により３つの空間部に区画されていることから、実際には、各空間部にそれぞれ筒形状をなす仕切板５５（５５ａ，５５ｂ，５５ｃ）が配置されており、各仕切板５５ａ，５５ｂ，５５ｃが各シュラウド４５，４６側で連結されることで、空間部が連通している。
【００４１】
また、翼本体４４及び各シュラウド４５，４６と仕切板５５との間には、両者の間隔が狭くなるのを抑制する複数の突起部６６が設けられている。この突起部６６は、翼本体４４及び各シュラウド４５，４６の内壁面から仕切板５５側に突出するような円柱または角柱形状をなし、先端部が仕切板５５から離間している。この場合、複数の突起部６６は、キャビティ６１内で、ほぼ均等間隔で配置されている。
【００４２】
従って、図示しない冷却通路からの冷却空気（冷却媒体）が、静翼４１に対して外側シュラウド４５側及び内側シュラウド４６側から供給されると、この冷却空気は、まず、翼本体４４、外側シュラウド４５、内側シュラウド４６の内側、つまり、仕切板５５の内側に導入される。そして、仕切板５５内の冷却空気は、次に、この仕切板５５に形成された多数の貫通孔６５を通してキャビティ６１に噴射され、ここで、翼本体４４、外側シュラウド４５、内側シュラウド４６の内壁面をインピンジメント冷却する。このとき、仕切板５５内の冷却空気は、各貫通孔６５を通して３つのキャビティ６２，６３，６４へ並列的に導入されることから、翼本体４４、外側シュラウド４５、内側シュラウド４６が均一に冷却される。その後、キャビティ６１の冷却空気は、多数の冷却孔５２を通して外部（燃焼ガス通路４０）へ排出され、翼本体４４、外側シュラウド４５、内側シュラウド４６の外壁面に沿って流れることで、この外壁面を膜冷却する。
【００４３】
このように実施例１のタービン静翼にあっては、中空形状をなす翼本体４４における一端部に外側シュラウド４５を固定し、他端部に内側シュラウド４６を固定し、この翼本体４４、外側シュラウド４５、内側シュラウド４６の内側に仕切板５５を固定することで、翼本体４４、外側シュラウド４５、内側シュラウド４６と仕切板５５との間に連続するキャビティ６１を形成し、翼本体４４、外側シュラウド４５、内側シュラウド４６に多数の冷却孔５２を形成すると共に、仕切板５５に多数の貫通孔６５を形成している。
【００４４】
従って、冷却空気が外側シュラウド４５側及び内側シュラウド４６側から供給されると、この冷却空気は仕切板５５の内側に導入され、仕切板５５に形成された多数の貫通孔６５を通してキャビティ６１に噴射されることで、翼本体４４、外側シュラウド４５、内側シュラウド４６の内壁面をインピンジメント冷却し、多数の冷却孔５２を通して外部へ排出され、翼本体４４、外側シュラウド４５、内側シュラウド４６の外壁面に沿って流れることで、この外壁面を膜冷却する。
【００４５】
このとき、多数の貫通孔６５を有する仕切板５５により翼本体４４、外側シュラウド４５、内側シュラウド４６の内側に連続するキャビティ６１（６２，６３，６４）が形成されているため、仕切板５５内の冷却空気は、各貫通孔６５を通して３つのキャビティ６２，６３，６４へ直接一様に並列的に導入されることから、この冷却空気により翼本体４４、外側シュラウド４５、内側シュラウド４６を均一に冷却することができ、この翼本体４４、外側シュラウド４５、内側シュラウド４６における局所的に高い温度及び熱応力の発生を防止し、翼本体４４、外側シュラウド４５、内側シュラウド４６の変形、熱応力や酸化減肉による損傷の発生を抑制することができる。
【００４６】
特に翼本体４４のキャビティ６２と各シュラウド４５，４６のキャビティ６３，６４を連続させることにより、翼本体４４、シュラウド４５，４６の接続部付近にフランジを設ける必要がないため、翼本体４４、シュラウド４５，４６を接続する湾曲部５３，５４の燃焼ガス側壁面が、冷却空気によりインピンジメント冷却される壁面から離れることがなく、十分に冷却することができる。
【００４７】
また、実施例１のタービン静翼では、翼本体４４の仕切板５５（５６）の内側からキャビティ６２に噴出される冷却空気の回路と、各シュラウド４５，４６の仕切板５５（５７，５８）内側からキャビティ６３，６４に噴出される冷却空気の回路とは、並列に構成されている。従来のタービン静翼（例えば、特許文献１）では、翼本体の仕切板内側、翼本体のキャビティ、シュラウドの仕切板内側、シュラウドのキャビティの順に冷却空気を直列に流すために、翼本体の冷却空気回路とシュラウド部の冷却空気回路を区分する効果を有する前縁空洞挿入スリーブのような部材を設けており、回路を区分する部材の存在によりインピンジメント冷却を施すことができない部分が発生してしまう。実施例１のタービン静翼では、前縁空洞挿入スリーブのような部材を設ける必要はなく、インピンジメント冷却を施すことができない部分ができることを避けることができ、翼本体４４及び各シュラウド４５，４６を均一に冷却することが可能となる。
【００４８】
また、実施例１のタービン静翼では、燃焼ガス力に対して静翼４１を支持する翼本体４４及び各シュラウド４５，４６が燃焼ガスに曝されるように構成されている。従って、燃焼ガスに曝される部材は、静翼４１を支持する必要上、比較的厚く作られているので、高温の燃焼ガスによる酸化減肉で燃焼ガス通路４０とキャビティ６１の間を貫通する損傷が発生して冷却空気が漏れることを防止し、設計意図通りの冷却空気流量配分及びキャビティ圧力が得られ、各部材を確実に冷却することができる。
【００４９】
また、実施例１のタービン静翼では、仕切板５５を筒形状とし、翼本体４４から各シュラウド４５，４６側に至る端部をラッパ状に拡径して各シュラウド４５，４６の外周部に固定している。従って、仕切板５５を適正形状とすることで、翼本体４４の内側から各シュラウド４５，４６の内側まで連続するキャビティ６１を容易に構成し、このキャビティ６１の全域をほぼ均等に冷却することができる。
【００５０】
また、実施例１のタービン静翼では、翼本体４４及び各シュラウド４５，４６から仕切板５５に向けて、両者の間隔が狭くなるのを抑制する複数の突起部６６を設けている。従って、翼本体４４、各シュラウド４５，４６、仕切板５５が熱変形しても、突起部６６により翼本体４４及び各シュラウド４５，４６と仕切板５５との間隔、つまり、キャビティ６１の幅が狭くなることが抑制され、常時、キャビティ６１内に適量の冷却空気を供給することができ、翼本体４４及び各シュラウド４５，４６を均一に冷却することができる。
【００５１】
なお、この実施例１では、翼本体４４及び各シュラウド４５，４６と仕切板５５との間隔が狭くなるのを抑制する複数の突起部６６を翼本体４４と各シュラウド４５，４６から仕切板５５側へ突出して設けたが、仕切板５５から翼本体４４及び各シュラウド４５，４６側へ突出して設けてもよい。また、突起部６６の形状も円柱形や角柱形に限らず、いずれの形状であってもよく、翼本体４４及び各シュラウド４５，４６に多大な熱応力が作用しないような形状にすることが好ましい。そして、実施例１では、翼本体４４及び各シュラウド４５，４６と仕切板５５との間に複数の突起部６６を設けたが、翼本体４４と仕切板５５との間にだけ、または、少なくとも一方のシュラウド４５，４６と仕切板５５との間にだけ、複数の突起部６６を設けてもよい。
【実施例２】
【００５２】
図６は、本発明の実施例２に係るタービン静翼を表す縦断面図、図７は、実施例２のタービン静翼における翼本体と外側シュラウドとの連結部を表す断面図である。なお、上述した実施例と同様の機能を有する部材には、同一の符号を付して詳細な説明は省略する。
【００５３】
実施例２において、図６及び図７に示すように、静翼４１は、中空形状をなす翼本体４４の一端部に外側シュラウド４５が固定され、他端部に内側シュラウド４６が固定されて構成されている。そして、翼本体４４、外側シュラウド４５、内側シュラウド４６に複数の冷却孔５２が形成されている。
【００５４】
翼本体４４と外側シュラウド４５と内側シュラウド４６とは、その内側に仕切板７１が固定されている。この仕切板７１は、筒形状をなし、各シュラウド４５，４６側の端部が拡径してこの各シュラウド４５，４６に固定されている。この実施例２にて、仕切板７１は、外側シュラウド４５側から挿入される外側仕切板７２と、内側シュラウド４６側から挿入される内側仕切板７３とから構成されている。外側仕切板７２は、基端部が外側シュラウド４５の外周部（段付部４５ａ）に固定され、先端部７２ａが翼本体４４の内部に位置している。一方、内側仕切板７３は、基端部が内側シュラウド４６の外周部（段付部４６ａ）に固定され、先端部７３ａが翼本体４４の内部に位置している。
【００５５】
この場合、外側仕切板７２に対して内側仕切板７３の方が長く形成されることで、各仕切板７２，７３の先端部７２ａ，７３ａは、外側シュラウド４５側に配置されている。そして、外側仕切板７２は、先端部７２ａが折り返され、その内側に内側シュラウド４６の先端部７３ａが重なり、両者が溶接により接合されている。
【００５６】
そして、翼本体４４と外側シュラウド４５と内側シュラウド４６とは、内側にこの仕切板７１が固定されることで、キャビティ６１が区画形成されている。このキャビティ６１は、翼本体４４に対応する第１キャビティ６２と、外側シュラウド４５に対応する第２キャビティ６３と、内側シュラウド４６に対応する第３キャビティ６４とが連続して構成されている。この場合、仕切板７１は、ほぼ全域にわたって、翼本体４４及び各シュラウド４５，４６の内壁面との間隔がほぼ一定間隔となるように配置されている。そして、この仕切板７１は、その全域にわたってほぼ均等間隔で多数の貫通孔７４が形成されている。
【００５７】
なお、実施例２の作用は、前述した実施例１と同様であることから、説明は省略する。
【００５８】
このように実施例２のタービン静翼にあっては、翼本体４４、外側シュラウド４５、内側シュラウド４６の内側に仕切板７１を固定することでキャビティ６１を形成し、翼本体４４、外側シュラウド４５、内側シュラウド４６に多数の冷却孔５２を形成すると共に、仕切板７１に多数の貫通孔７４を形成している。
【００５９】
従って、多数の貫通孔７４を有する仕切板７１により翼本体４４、外側シュラウド４５、内側シュラウド４６の内側に連続するキャビティ６１（６２，６３，６４）が形成されているため、仕切板７１内の冷却空気は、各貫通孔７４を通して３つのキャビティ６２，６３，６４へ直接一様に並列的に導入されることから、この冷却空気により翼本体４４、外側シュラウド４５、内側シュラウド４６を均一に冷却することができ、局所的に高い熱応力の発生を防止し、翼本体４４、外側シュラウド４５、内側シュラウド４６の変形や損傷の発生を抑制することができる。
【００６０】
また、実施例２のタービン静翼では、仕切板７１を、外側シュラウド４５側から挿入される外側仕切板７２と、内側シュラウド４６側から挿入される内側仕切板７３とで構成している。従って、仕切板７１を外側仕切板７２と内側仕切板７３とに分割することで、内部に容易に挿入して配置することができ、組付性を向上することができる。
【００６１】
また、実施例２のタービン静翼では、外側仕切板７２と内側仕切板７３は、基端部を外側シュラウド４５と内側シュラウド４６の外周部に固定し、先端部７２ａ，７３ａ同士を翼本体４４の内部で接合している。従って、内部に挿入された外側仕切板７２と内側仕切板７３の先端部７２ａ，７３ａ同士を翼本体４４の内部で接合することで、高い気密性を確保することができ、安定した冷却性能を維持することができると共に、接合部を接合作業が容易な位置に配置することができる。
【００６２】
また、実施例２のタービン静翼では、外側仕切板７２と内側仕切板７３の先端部７２ａ，７３ａを外側シュラウド４５側に配置して接合している。従って、外側仕切板７２と内側仕切板７３の接合部が外側シュラウド４５側に配置されることで、両者を溶接などにより外部から接合しやすく、組付性を向上することができる。また、外側仕切板７２や内側仕切板７３の先端部は、冷却のための貫通孔７４を形成しにくいことから、各仕切板７２，７３の先端部７２ａ，７３ａの位置を燃焼ガス温度が高い部位を避けて外側シュラウド４５側に配置することで、局所的な高温部位の発生を抑制することができる。
【００６３】
なお、この実施例２では、外側仕切板７２と内側仕切板７３の先端部７２ａ，７３ａを外側シュラウド４５側に配置して接合したが、外側仕切板７２と内側仕切板７３の先端部７２ａ，７３ａを内側シュラウド４６側に配置して接合してもよく、この場合であっても、上述したものと同様の作用効果を奏することができる。
【実施例３】
【００６４】
図８は、本発明の実施例３に係るタービン静翼を表す縦断面図である。なお、上述した実施例と同様の機能を有する部材には、同一の符号を付して詳細な説明は省略する。
【００６５】
実施例３において、図８に示すように、静翼４１は、中空形状をなす翼本体４４の一端部に外側シュラウド４５が固定され、他端部に内側シュラウド４６が固定されて構成されている。そして、翼本体４４、外側シュラウド４５、内側シュラウド４６に複数の冷却孔５２が形成されている。
【００６６】
翼本体４４と外側シュラウド４５と内側シュラウド４６とは、その内側に仕切板８１が固定されている。この仕切板８１は、筒形状をなし、各シュラウド４５，４６側の端部が拡径してこの各シュラウド４５，４６に固定されている。この実施例３にて、仕切板８１は、外側シュラウド４５側から挿入される外側仕切板８２と、内側シュラウド４６側から挿入される内側仕切板８３とから構成されている。外側仕切板８２は、基端部が外側シュラウド４５の外周部に固定され、先端部８２ａが翼本体４４の内部に位置している。一方、内側仕切板８３は、基端部が内側シュラウド４６の外周部に固定され、先端部８３ａが翼本体４４の内部に位置している。
【００６７】
この場合、外側仕切板８２と内側仕切板８３は、ほぼ同じ長さに形成されることで、各仕切板８２，８３の先端部８２ａ，８３ａは、翼本体４４における長手方向の中間部に配置されている。そして、外側仕切板８２と内側仕切板８３は、先端部８２ａ，８３ａが閉塞されて互いに所定間隔をもって離間している。
【００６８】
そして、翼本体４４と外側シュラウド４５と内側シュラウド４６とは、内側にこの仕切板８１が固定されることで、キャビティ６１が区画形成されている。このキャビティ６１は、翼本体４４に対応する第１キャビティ６２と、外側シュラウド４５に対応する第２キャビティ６３と、内側シュラウド４６に対応する第３キャビティ６４とが連続して構成されている。この場合、仕切板８１は、ほぼ全域にわたって、翼本体４４及び各シュラウド４５，４６の内壁面との間隔がほぼ一定間隔となるように配置されている。そして、この仕切板８１は、その全域にわたってほぼ均等間隔で多数の貫通孔８４が形成されている。
【００６９】
なお、実施例３の作用は、前述した実施例１と同様であることから、説明は省略する。
【００７０】
このように実施例３のタービン静翼にあっては、翼本体４４、外側シュラウド４５、内側シュラウド４６の内側に仕切板８１を固定することでキャビティ６１を形成し、翼本体４４、外側シュラウド４５、内側シュラウド４６に多数の冷却孔５２を形成すると共に、仕切板８１に多数の貫通孔８４を形成している。
【００７１】
従って、多数の貫通孔８４を有する仕切板８１により翼本体４４、外側シュラウド４５、内側シュラウド４６の内側に連続するキャビティ６１（６２，６３，６４）が形成されているため、仕切板８１内の冷却空気は、各貫通孔８４を通して３つのキャビティ６２，６３，６４へ直接一様に並列的に導入されることから、この冷却空気により翼本体４４、外側シュラウド４５、内側シュラウド４６を均一に冷却することができ、局所的に高い熱応力の発生を防止し、翼本体４４、外側シュラウド４５、内側シュラウド４６の変形や損傷の発生を抑制することができる。
【００７２】
また、実施例３のタービン静翼では、仕切板８１を、外側シュラウド４５側から挿入される外側仕切板８２と、内側シュラウド４６側から挿入される内側仕切板８３とで構成し、外側仕切板８２と内側仕切板８３の先端部８２ａ，８３ａを閉塞し、翼本体４４の中間部で互いに所定間隔をもって配置している。従って、内部に挿入された外側仕切板８２と内側仕切板８３の先端部８２ａ，８３ａ同士を所定間隔で配置することで、仕切板８１における接合箇所を減少して組付コストを低減することができると共に、組付性を向上することができる。
【実施例４】
【００７３】
図９は、本発明の実施例４に係るタービン静翼を表す縦断面図である。なお、上述した実施例と同様の機能を有する部材には、同一の符号を付して詳細な説明は省略する。
【００７４】
実施例４において、図９に示すように、静翼４１は、中空形状をなす翼本体４４の一端部に外側シュラウド４５が固定され、他端部に内側シュラウド４６が固定されて構成されている。そして、翼本体４４、外側シュラウド４５、内側シュラウド４６に複数の冷却孔５２が形成されている。
【００７５】
翼本体４４と外側シュラウド４５と内側シュラウド４６とは、その内側に仕切板９１が固定されている。この仕切板９１は、筒形状をなし、各シュラウド４５，４６側の端部が拡径してこの各シュラウド４５，４６に固定されている。この実施例４にて、仕切板９１は、外側シュラウド４５側から挿入される外側仕切板９２と、内側シュラウド４６側から挿入される内側仕切板９３とから構成されている。外側仕切板９２は、基端部が外側シュラウド４５の外周部に固定され、先端部９２ａが翼本体４４の内部に位置している。一方、内側仕切板９３は、基端部が内側シュラウド４６の外周部に固定され、先端部９３ａが翼本体４４の内部に位置している。
【００７６】
この場合、外側仕切板９２に対して内側仕切板９３の方が長く形成されることで、各仕切板９２，９３の先端部９２ａ，９３ａは、翼本体４４における長手方向に燃焼ガス温度が高い部位を避けて、外側シュラウド側４５側に配置されている。そして、外側仕切板９２と内側仕切板９３は、先端部９２ａ，９３ａが閉塞されて互いに所定間隔をもって離間している。
【００７７】
そして、翼本体４４と外側シュラウド４５と内側シュラウド４６とは、内側にこの仕切板９１が固定されることで、キャビティ６１が区画形成されている。このキャビティ６１は、翼本体４４に対応する第１キャビティ６２と、外側シュラウド４５に対応する第２キャビティ６３と、内側シュラウド４６に対応する第３キャビティ６４とが連続して構成されている。この場合、仕切板９１は、ほぼ全域にわたって、翼本体４４及び各シュラウド４５，４６の内壁面との間隔がほぼ一定間隔となるように配置されている。そして、この仕切板９１は、その全域にわたってほぼ均等間隔で多数の貫通孔９４が形成されている。
【００７８】
なお、実施例４の作用は、前述した実施例１と同様であることから、説明は省略する。
【００７９】
このように実施例４のタービン静翼にあっては、翼本体４４、外側シュラウド４５、内側シュラウド４６の内側に仕切板９１を固定することでキャビティ６１を形成し、翼本体４４、外側シュラウド４５、内側シュラウド４６に多数の冷却孔５２を形成すると共に、仕切板９１に多数の貫通孔９４を形成している。
【００８０】
従って、多数の貫通孔９４を有する仕切板９１により翼本体４４、外側シュラウド４５、内側シュラウド４６の内側に連続するキャビティ６１（６２，６３，６４）が形成されているため、仕切板９１内の冷却空気は、各貫通孔９４を通して３つのキャビティ６２，６３，６４へ直接一様に並列的に導入されることから、この冷却空気により翼本体４４、外側シュラウド４５、内側シュラウド４６を均一に冷却することができ、局所的に高い熱応力の発生を防止し、翼本体４４、外側シュラウド４５、内側シュラウド４６の変形や損傷の発生を抑制することができる。
【００８１】
また、実施例４のタービン静翼では、仕切板９１を、外側シュラウド４５側から挿入される外側仕切板９２と、内側シュラウド４６側から挿入される内側仕切板９３とで構成し、外側仕切板９２と内側仕切板９３の先端部９２ａ，９３ａを閉塞し、翼本体４４における外側シュラウド４５側で互いに所定間隔をもって配置している。従って、内部に挿入された外側仕切板９２と内側仕切板９３の先端部９２ａ，９３ａ同士を所定間隔で配置することで、仕切板９１における接合箇所を減少して組付コストを低減することができると共に、組付性を向上することができる。
【００８２】
また、実施例４のタービン静翼では、外側仕切板９２と内側仕切板９３の先端部９２ａ，９３ａを外側シュラウド４５側に配置している。即ち、外側仕切板９２と内側仕切板９３の先端部９２ａ，９３ａを燃焼ガス温度が最も高い部位を避けて配置している。従って、外側仕切板９２や内側仕切板９３の先端部は、冷却のための貫通孔９４を形成しにくいことから、各仕切板９２，９３の先端部９２ａ，９３ａの位置を翼本体４４における長手方向に燃焼ガス温度が高い部位を避けて外側シュラウド４５側に配置することで、貫通孔９４を形成しにくい部位と燃焼ガス温度が高い部位が重なることを防止し、局所的な高温部の発生を抑制することができる。
【００８３】
この場合、静翼４１にて、燃焼ガス温度が最も高い部位は、燃焼ガス通路４０を流れる燃焼ガスの様相により相違するものである。実施例４では、燃焼ガス温度が最も高い部位が、静翼４１の長手方向における中間部より内側シュラウド４６側にあることから、外側仕切板９２と内側仕切板９３の先端部９２ａ，９３ａを外側シュラウド４５側に配置している。但し、燃焼ガス温度が最も高い部位は、燃焼ガス通路４０を流れる燃焼ガスの様相により相違するものである。そのため、燃焼ガス温度が最も高い部位が、静翼４１の長手方向における中間部より外側シュラウド４５側にあるときには、外側仕切板９２と内側仕切板９３の先端部９２ａ，９３ａを内側シュラウド４６側に配置すればよい。
【００８４】
なお、上述した各実施例では、翼本体４４、外側シュラウド４５、内側シュラウド４６の内側に仕切板５５，７１，８１，９１を固定することでキャビティ６１を形成したが、翼本体４４と外側シュラウド４５、または、翼本体４４と内側シュラウド４６だけに仕切板を固定することでキャビティを形成してもよい。
【００８５】
また、上述した各実施例では、冷却空気（冷却媒体）を静翼４１に対して外側シュラウド４５側及び内側シュラウド４６側から供給するようにしたが、外側シュラウド４５側または内側シュラウド４６側のいずれか一方から供給するようにしてもよい。
【００８６】
また、上述した実施例２から４では、外側仕切板７２，８２，９２と内側仕切板７３，８３，９３は、先端部同士を翼本体４４の内部で接合したが、外側シュラウド４５や内側シュラウド４６の内部で接合してもよい。
【００８７】
また、上述した各実施例では、本発明のタービン静翼をガスタービンに適用して説明したが、蒸気タービンに適用してもよく、この場合、冷却媒体は蒸気であり、キャビティを冷却した後、外部に排出せずにシュラウド側に回収すればよい。
【符号の説明】
【００８８】
１１  圧縮機
１２  燃焼器
１３  タービン
２６  タービン車室
２７  静翼体
２８  動翼体
３２  ロータ
４０  燃焼ガス通路
４１  静翼
４２  動翼
４３  ロータディスク
４４  翼本体（翼構造部）
４５  外側シュラウド（端壁構造部）
４６  内側シュラウド（端壁構造部）
５２  冷却孔
５５，７１，８１，９１  仕切板
６１，６２，６３，６４  キャビティ
６５，７４，８４，９４  貫通孔
６６  突起部
【図１】
0005931351.tif 000002
【図２】
0005931351.tif 000003
【図３】
0005931351.tif 000004
【図４】
0005931351.tif 000005
【図５】
0005931351.tif 000006
【図６】
0005931351.tif 000007
【図７】
0005931351.tif 000008
【図８】
0005931351.tif 000009
【図９】
0005931351.tif 000010
【図１０】
0005931351.tif 000011